(57)【要約】【課題】筒状リブとシャフトとの良好な嵌合状態を保持することができ、施工に係る手間やコストの低減を図る。【解決手段】ロータリーエンコーダー２０等のシャフト２１が嵌合する筒状リブ１４に、一対のスリット１５が筒状リブ１４の径方向に対向して形成されるとともに、スリット１５が形成された筒状リブ１４の部位から、該筒状リブ１４の外側に向けて延出する補強リブ１６が一体的に設けられており、筒状リブ１４の周囲には、筒状リブ１４の径方向に対向する補強リブ１６同士を一体的に接続する外周リブ１７が、筒状リブ１４から所定間隔離間するようにして設けられている。これにより、筒状リブ１４の弾力性を確保しながら、強度を得ることができるので、筒状リブ１４にシャフト２１を嵌合させて何度か抜き差しを繰り返しても、筒状リブ１４とシャフト２１との嵌合が緩くなるのを防ぐことが可能となる。【選択図】図１
2008235211.tif 000002
【特許請求の範囲】
【請求項１】
底面部および周壁部からなる有底筒状のつまみ本体と、底面部中央に突設され、ロータリーエンコーダー等のシャフトが嵌合する筒状リブとを備えており、
前記筒状リブには、一対のスリットが前記筒状リブの径方向に対向して形成されるとともに、前記スリットが形成された前記筒状リブの部位から、該筒状リブの外側に向けて延出する補強リブが一体的に設けられており、
前記筒状リブの周囲には、前記筒状リブの径方向に対向する補強リブ同士を一体的に接続する外周リブが、筒状リブから所定間隔離間するようにして設けられていることを特徴とする回転つまみ。
【請求項２】
前記外周リブには、この外周リブから前記つまみ本体の周壁部まで延出する補助リブが一体的に設けられていることを特徴とする請求項１に記載の回転つまみ。
【発明の詳細な説明】
【技術分野】
【０００１】
本発明は、回転つまみに関する。
【背景技術】
【０００２】
従来、ロータリーエンコーダー等のシャフトに嵌合させて使用する回転つまみが知られており、この回転つまみは、シャフトが差し込まれて嵌合する筒状リブを備えている。
また、この筒状リブの内径は、シャフトの外径よりも若干小さく設定されている場合があり、これによって、シャフトを筒状リブに嵌合させた際に強固に締め付けることが可能となっている。
【０００３】
図１０（ａ），（ｂ）は、従来の回転つまみ１，２の例を示す図であり、筒状リブ１ａ，２ａにスリット１ｂ，２ｂを形成することで弾力性を得ることができ、抜き差しし易い上に、筒状リブ１ａ，２ａの弾性復帰力によってシャフトを強固に締め付けできる。ところが、これらスリット１ｂ，２ｂを形成すると、シャフトを嵌合させた際に筒状リブ１ａ，２ａが外側に開くため、何度か抜き差しを繰り返すと嵌合が緩くなる場合がある。
【０００４】
嵌合が緩くなるのを防ぐため、図１０（ｃ）に示す回転つまみ３には、筒状リブ３ａの強度を高めるリブ３ｃが設けられている。ところが、このリブ３ｃの場合、スリット３ｂを形成したことによる筒状リブ３ａの弾力性を抑制してしまうため、筒状リブ３ａの弾性復帰力も抑制してしまい、逆にシャフトを強固に締め付けできない場合がある。
【０００５】
一方、図１０（ｄ）に示す回転つまみ４には外周にスプリング４ｃが巻設されており、図１０（ｃ）に示す筒状リブ３ａのようにリブ３ｃを設けなくとも、スプリング４ｃの付勢力によってシャフトと筒状リブ４ａとの嵌合が緩くなるのを防ぎつつ、強固な締め付け力が得られるようになっている。さらに、特許文献１には、筒状連結用リブの外周に巻設するスプリングの位置決めを行うことができる技術が開示されている。
【特許文献１】特開２００５−０６４０８３号公報
【発明の開示】
【発明が解決しようとする課題】
【０００６】
しかしながら、図１０（ｄ）に示す筒状リブや特許文献１に記載された筒状連結用リブのようにスプリングを巻設すると、シャフトと筒状リブとの嵌合が強くなり過ぎてしまい、抜き差ししにくい場合がある。その上、このようにスプリングを巻設することで回転つまみの取付作業に係る手間やコストが増加する場合があるため、スプリングを設けなくても、筒状リブの弾力性や強度を確保できるような技術の開発が望まれていた。
【０００７】
本発明の課題は、筒状リブとシャフトとの良好な嵌合状態を保持することができ、取付作業に係る手間やコストの低減を図ることが可能な回転つまみを提供することを目的とする。
【課題を解決するための手段】
【０００８】
請求項１に記載の発明は、回転つまみにおいて、底面部および周壁部からなる有底筒状のつまみ本体と、底面部中央に突設され、ロータリーエンコーダー等のシャフトが嵌合する筒状リブとを備えており、
前記筒状リブには、一対のスリットが前記筒状リブの径方向に対向して形成されるとともに、前記スリットが形成された前記筒状リブの部位から、該筒状リブの外側に向けて延出する補強リブが一体的に設けられており、
前記筒状リブの周囲には、前記筒状リブの径方向に対向する補強リブ同士を一体的に接続する外周リブが、筒状リブから所定間隔離間するようにして設けられていることを特徴とする。
【０００９】
請求項２に記載の発明は、請求項１に記載の回転つまみにおいて、前記外周リブには、この外周リブから前記つまみ本体の周壁部まで延出する補助リブが一体的に設けられていることを特徴とする。
【発明の効果】
【００１０】
本発明によれば、筒状リブとシャフトとの良好な嵌合状態を保持することができ、取付作業に係る手間やコストの低減を図ることが可能となる。
【発明を実施するための最良の形態】
【００１１】
以下、図面を参照して本発明の実施の形態について説明する。ただし、発明の範囲は本実施の形態に限定されない。
図１〜図９は本実施の形態の回転つまみ１０，１０Ａ，１０Ｂ，１０Ｃ，１０Ｄ，１０Ｅ，１０Ｆ，１０Ｇ，１０Ｈの各構成を示す斜視図である。また、これらの本実施の形態の回転つまみ１０，１０Ａ，１０Ｂ，１０Ｃ，１０Ｄ，１０Ｅ，１０Ｆ，１０Ｇ，１０Ｈは、底面部１１，１１Ａ，１１Ｂ，１１Ｃ，１１Ｄ，１１Ｅ，１１Ｆ，１１Ｇ，１１Ｈおよび周壁部１２，１２Ａ，１２Ｂ，１２Ｃ，１２Ｄ，１２Ｅ，１２Ｆ，１２Ｇ，１２Ｈからなる有底筒状のつまみ本体１３，１３Ａ，１３Ｂ，１３Ｃ，１３Ｄ，１３Ｅ，１３Ｆ，１３Ｇ，１３Ｈと、底面部１１，１１Ａ，１１Ｂ，１１Ｃ，１１Ｄ，１１Ｅ，１１Ｆ，１１Ｇ，１１Ｈ中央に突設され、ロータリーエンコーダー２０，２０Ｈ等のシャフト２１，２１Ｈが嵌合する筒状リブ１４，１４Ａ，１４Ｂ，１４Ｃ，１４Ｄ，１４Ｅ，１４Ｆ，１４Ｇ，１４Ｈとを備えている。
【００１２】
また、本実施の形態の回転つまみ１０，１０Ａ，１０Ｂ，１０Ｃ，１０Ｄ，１０Ｅ，１０Ｆ，１０Ｇ，１０Ｈは、例えば、射出成形等の成形方法によって一体成形された樹脂成形品である。なお、射出成形する際に、筒状リブ１４，１４Ａ，１４Ｂ，１４Ｃ，１４Ｄ，１４Ｅ，１４Ｆ，１４Ｇ，１４Ｈを利用して回転つまみ１０，１０Ａ，１０Ｂ，１０Ｃ，１０Ｄ，１０Ｅ，１０Ｆ，１０Ｇ，１０Ｈの裏面側にゲートを設けることによって、ゲートが外観に出ないので、回転つまみ１０，１０Ａ，１０Ｂ，１０Ｃ，１０Ｄ，１０Ｅ，１０Ｆ，１０Ｇ，１０Ｈの表面側の外観を良好なものとすることができる。
【００１３】
まず、図１に示す回転つまみ１０について説明する。
ここで、前記筒状リブ１４には、一対のスリット１５が前記筒状リブ１４の径方向に対向して形成されるとともに、前記スリット１５が形成された前記筒状リブ１４の部位から、該筒状リブ１４の外側に向けて延出する補強リブ１６が一体的に設けられており、
前記筒状リブ１４の周囲には、前記筒状リブ１４の径方向に対向する補強リブ１６同士を一体的に接続する外周リブ１７が、筒状リブ１４から所定間隔離間するようにして設けられている。
【００１４】
また、前記ロータリーエンコーダー２０のシャフト２１は平面部２１ａを備えており、断面略Ｄ字状となるように形成されている。前記筒状リブ１４も、このシャフト２１の断面形状に合わせて略Ｄ字状の輪郭を有するように形成されている。
さらに、筒状リブ１４の内径は、前記シャフト２１の外径よりも若干小さく設定されており、シャフト２１と筒状リブ１４とを確実かつ良好に嵌合できるようになっている。
【００１５】
なお、この筒状リブ１４に囲まれた位置の底面部１１には、筒状リブ１４にシャフト２１を差し込んだ際にシャフト２１の先端面が突き当たる突き当てリブ１９が設けられている。
【００１６】
前記スリット１５は、筒状リブ１４の略Ｄ字状の輪郭に沿って形成されており、図１中においてＤ字の直線部に該当する部分の中央と、これに対向するＤ字の曲線部に該当する部分の中央とに形成されている。したがって、筒状リブ１４は弾力性を得ることができ、その弾性復帰力によってシャフト２１を強固に締め付けできるようになっている。
【００１７】
前記補強リブ１６は、図１中において、前記スリット１５が形成された筒状リブ１４の部位から、該筒状リブ１４の外側に向けて、かつ上下方向にそれぞれ延出するようにして、前記つまみ本体１３の周壁部１２まで設けられている。このように補強リブ１６を設けることによって、筒状リブ１４の強度を高めることができる。
なお、この補強リブ１６の延出長さは、筒状リブ１４の一定の強度を確保できればよく、特に限定されない。
【００１８】
前記外周リブ１７は、筒状リブ１４の周囲に、この筒状リブ１４から所定間隔離間するようにして設けられている。つまり、この外周リブ１７は、前記筒状リブ１４の径方向に対向する補強リブ１６同士のうち、一方の補強リブ１６の延出方向に沿った所定の位置から、他方の補強リブ１６の延出方向に沿った所定の位置までを一体的に接続するようにして、弧を描くようにして設けられている。
【００１９】
なお、この外周リブ１７における所定間隔とは、この外周リブ１７によって前記筒状リブ１４の強度を確保できる適度な距離であり、前記ロータリーエンコーダー２０のシャフト２１と回転つまみ１０の筒状リブ１４との嵌合強度を考慮して任意に設定することができる。すなわち、前記筒状リブ１４は、シャフト２１が差し込まれた際にスリット１５を境にして外側に開く構成であるため、この筒状リブ１４の開きに合わせて前記補強リブ１６も外側に若干開くようになっている。この時、補強リブ１６の強度だけで筒状リブ１４に強度を持たせようとすると、シャフト２１の抜き差しをするうちに補強リブ１６も外側に開くようにして広がってしまい、筒状リブ１４とシャフト２１との嵌合が緩くなってしまう。
このため、前記外周リブ１７によって補強リブ１６同士を一体的に接続することによって、補強リブ１６の強度を高めて外側に開いてしまうのを防ぐと同時に、この補強リブ１６と一体の筒状リブ１４の強度を高めることができるようになっている。
さらに、外周リブ１７と筒状リブ１４との間隔が離間しすぎていると、補強リブ１６が外側に開く動作を効果的に抑制することができない。一方、外周リブ１７と筒状リブ１４との間隔が接近しすぎていると、補強リブ１６が有する弾力性を強く抑制してしまい、補強リブ１６と一体の筒状リブ１４の弾力性も強く抑制しまうこととなる。このため、前記外周リブ１７は、筒状リブ１４の周囲に、この筒状リブ１４から所定間隔離間するようにして設けられている。
【００２０】
さらに、このように、つまみ本体１３に対して筒状リブ１４や補強リブ１６、外周リブ１７が設けられることによって、つまみ本体１３の表面側からの衝撃に対して強度を確保できるので、例えば車両内装部品の一部として用いたり、各種音響機器の一部として用いたりするのに好適である。
【００２１】
以上のような図１に示す回転つまみ１０によれば、前記筒状リブ１４にスリット１５が形成されることによって、このスリット１５に弾力性を持たせることができ、前記補強リブ１６によって筒状リブ１４の強度を高めることができるので、筒状リブ１４の弾力性を確保することができる。さらに、前記外周リブ１７によって、前記筒状リブ１４の径方向に対向する補強リブ１６同士を一体的に接続できるので、補強リブ１６の強度を高めるのと同時に、この補強リブ１６と一体の筒状リブ１４の強度をより高めることができる。したがって、筒状リブ１４の弾力性を確保しながら、強度を得ることができる。
【００２２】
次に、図２に示す回転つまみ１０Ａについて説明する。
この回転つまみ１０Ａは、一対のスリット１５Ａを有する筒状リブ１４Ａを備えており、この筒状リブ１４Ａに一体的に設けられた補強リブ１６Ａの延出長さが、つまみ本体１３Ａの周壁部１２Ａに達しない長さとなっている。
そして、前記筒状リブ１４Ａの径方向に対向する補強リブ１６Ａの延出方向端部同士を一体的に接続するようにして、外周リブ１７Ａが、前記筒状リブ１４Ａから所定間隔離間するようにして設けられている。
【００２３】
次に、図３に示す回転つまみ１０Ｂについて説明する。
この回転つまみ１０Ｂは、一対のスリット１５Ｂを有する筒状リブ１４Ｂを備えており、この筒状リブ１４Ｂに一体的に設けられた補強リブ１６Ｂの延出長さが、つまみ本体１３Ｂの周壁部１２Ｂに達する長さとなっている。
そして、前記補強リブ１６Ｂは、筒状リブ１４Ｂから所定間隔離間するようにして設けられる外周リブ１７Ｂによって、前記筒状リブ１４Ｂの径方向に対向する補強リブ１６Ｂ同士のうち、一方の補強リブ１６Ｂの延出方向に沿った所定の位置から、他方の補強リブ１６Ｂの延出方向に沿った所定の位置まで一体的に接続されている。
【００２４】
さらに、前記外周リブ１７Ｂには、この外周リブ１７Ｂから前記つまみ本体１３Ｂの周壁部１２Ｂまで延出する補助リブ１８Ｂが一体的に設けられている。この補助リブ１８Ｂは、前記外周リブ１７Ｂの中央に設けられ、前記筒状リブ１４Ｂの径方向に対向する補強リブ１６Ｂ同士の延出方向に直交する方向に延出している。
【００２５】
そして、このように外周リブ１７Ｂに、この外周リブ１７Ｂから前記つまみ本体１３Ｂの周壁部１２Ｂまで延出する補助リブ１８Ｂが一体的に設けられているので、この補助リブ１８Ｂによって外周リブ１７Ｂの補強を行うことができる。これによって、例えば筒状リブ１４Ｂとシャフト２１とを嵌合させた際に、筒状リブ１４Ｂおよび補強リブ１６Ｂが外側へ開く動作に合わせ、前記外周リブ１７Ｂが外側に開こうとする動作を確実に抑制することができる。したがって、筒状リブ１４Ｂの弾力性を確保しながら、強度を得ることができる。
【００２６】
次に、図４に示す回転つまみ１０Ｃについて説明する。
この回転つまみ１０Ｃは、筒状リブ１４Ｃに一体的に設けられた補強リブ１６Ｃの延出長さが、つまみ本体１３Ｃの周壁部１２Ｃに達しない長さとなっている。
そして、前記筒状リブ１４Ｃの径方向に対向する補強リブ１６Ｃの延出方向端部同士を一体的に接続するようにして、外周リブ１７Ｃが、前記筒状リブ１４Ｃから所定間隔離間するようにして設けられている。
【００２７】
さらに、前記外周リブ１７Ｃには、この外周リブ１７Ｃから前記つまみ本体１３Ｃの周壁部１２Ｃまで延出する補助リブ１８Ｃが一体的に設けられている。この補助リブ１８Ｃは、前記外周リブ１７Ｃの中央に設けられ、前記筒状リブ１４Ｃの径方向に対向する補強リブ１６Ｃ同士の延出方向に直交する方向に延出している。
【００２８】
次に、図５に示す回転つまみ１０Ｄについて説明する。
この回転つまみ１０Ｄは、スリット１５Ｄが筒状リブ１４Ｄの略Ｄ字状の輪郭に沿って形成されており、図５中においてＤ字の曲線部に該当する部分の左右に対向して形成されている。そして、このようなスリット１５Ｄが形成された筒状リブ１４Ｄの部位から、筒状リブ１４Ｄの外側に向けて設けられた補強リブ１６Ｄの延出方向は、筒状リブ１４Ｄの直線部に該当する部分に沿う方向となっている。
【００２９】
また、前記補強リブ１６Ｄの延出長さは、つまみ本体１３Ｄの周壁部１２Ｄに達しない長さとなっており、前記筒状リブ１４Ｄの径方向に対向する補強リブ１６Ｄの延出方向端部同士を一体的に接続するようにして、外周リブ１７Ｄが、前記筒状リブ１４Ｄから所定間隔離間するようにして設けられている。
【００３０】
次に、図６に示す回転つまみ１０Ｅについて説明する。
この回転つまみ１０Ｅは、スリット１５Ｅが筒状リブ１４Ｅの略Ｄ字状の輪郭の曲線部に該当する部分の左右に対向して形成されている。また、補強リブ１６Ｅの延出長さが、つまみ本体１３Ｅの周壁部１２Ｅに達する長さとなっている。
【００３１】
そして、筒状リブ１４Ｅから所定間隔離間するようにして設けられる外周リブ１７Ｅによって、前記筒状リブ１４Ｅの径方向に対向する補強リブ１６Ｅ同士のうち、一方の補強リブ１６Ｅの延出方向に沿った所定の位置から、他方の補強リブ１６Ｅの延出方向に沿った所定の位置まで、一体的に接続されている。
【００３２】
次に、図７に示す回転つまみ１０Ｆについて説明する。
この回転つまみ１０Ｆは、スリット１５Ｆが筒状リブ１４Ｆの略Ｄ字状の輪郭の曲線部に該当する部分の左右に対向して形成されている。また、補強リブ１６Ｆの延出長さが、つまみ本体１３Ｆの周壁部１２Ｆに達しない長さとなっている。
そして、前記筒状リブ１４Ｆの径方向に対向する補強リブ１６Ｆの延出方向端部同士を一体的に接続するようにして、外周リブ１７Ｆが、前記筒状リブ１４Ｆから所定間隔離間するようにして設けられている。
【００３３】
さらに、前記外周リブ１７Ｆには、この外周リブ１７Ｆから前記つまみ本体１３Ｆの周壁部１２Ｆまで延出する補助リブ１８Ｆが一体的に設けられている。この補助リブ１８Ｆは、前記外周リブ１７Ｆの中央に設けられ、前記筒状リブ１４Ｆの径方向に対向する補強リブ１６Ｆ同士の延出方向に直交する方向に延出している。
【００３４】
次に、図８に示す回転つまみ１０Ｇについて説明する。
この回転つまみ１０Ｇは、スリット１５Ｇが筒状リブ１４Ｇの略Ｄ字状の輪郭の曲線部に該当する部分の左右に対向して形成されている。また、補強リブ１６Ｇの延出長さが、つまみ本体１３Ｇの周壁部１２Ｇに達する長さとなっている。
そして、筒状リブ１４Ｇから所定間隔離間するようにして設けられる外周リブ１７Ｇによって、前記筒状リブ１４Ｇの径方向に対向する補強リブ１６Ｇ同士のうち、一方の補強リブ１６Ｇの延出方向に沿った所定の位置から、他方の補強リブ１６Ｇの延出方向に沿った所定の位置まで、一体的に接続されている。
【００３５】
さらに、前記外周リブ１７Ｇには、この外周リブ１７Ｇから前記つまみ本体１３Ｇの周壁部１２Ｇまで延出する補助リブ１８Ｇが一体的に設けられている。この補助リブ１８Ｇは、前記外周リブ１７Ｇの中央に設けられ、前記筒状リブ１４Ｇの径方向に対向する補強リブ１６Ｇ同士の延出方向に直交する方向に延出している。
【００３６】
次に、図９に示す回転つまみ１０Ｈについて説明する。
この回転つまみ１０Ｈは、筒状リブ１４Ｈの形状が、ロータリーエンコーダー２０Ｈのシャフト２１Ｈの形状に対応したものとなっている。すなわち、シャフト２１Ｈの外周面には軸方向に沿って凹状スリット２１Ｈａが対向して形成されている。一方、前記筒状リブ１４Ｈは、この筒状リブ１４Ｈの内壁面に、前記凹状スリット２１Ｈａに沿って嵌合する凸状リブ１４Ｈａが対向して設けられている。そして、前記筒状リブ１４Ｈとシャフト２１Ｈとを嵌合させる際は、これら凹状スリット２１Ｈａと凸状リブ１４Ｈａとが嵌合するようにしてシャフト２１Ｈを筒状リブ１４Ｈに差し込むようにする。
【００３７】
この回転つまみ１０Ｈは、スリット１５Ｈが筒状リブ１４Ｈの径方向に対向して形成されており、図９中において上下方向に対向して形成されている。そして、補強リブ１６同士は、このようなスリット１５Ｈが形成された筒状リブ１４Ｈの部位から、該筒状リブ１４Ｈの外側に向けて延出している。また、筒状リブ１４Ｈに一体的に設けられた補強リブ１６Ｈの延出長さが、つまみ本体１３Ｈの周壁部１２Ｈに達する長さとなっている。
【００３８】
そして、筒状リブ１４Ｈから所定間隔離間するようにして設けられる外周リブ１７Ｈによって、前記筒状リブ１４Ｈの径方向に対向する補強リブ１６Ｈ同士のうち、一方の補強リブ１６Ｈの延出方向に沿った所定の位置から、他方の補強リブ１６Ｈの延出方向に沿った所定の位置まで、一体的に接続されている。
【００３９】
以上説明したように本実施の形態の回転つまみ１０，１０Ａ，１０Ｂ，１０Ｃ，１０Ｄ，１０Ｅ，１０Ｆ，１０Ｇ，１０Ｈによれば、前記筒状リブ１４，１４Ａ，１４Ｂ，１４Ｃ，１４Ｄ，１４Ｅ，１４Ｆ，１４Ｇ，１４Ｈにスリット１５，１５Ａ，１５Ｂ，１５Ｃ，１５Ｄ，１５Ｅ，１５Ｆ，１５Ｇ，１５Ｈが形成されることによって、このスリット１５，１５Ａ，１５Ｂ，１５Ｃ，１５Ｄ，１５Ｅ，１５Ｆ，１５Ｇ，１５Ｈに弾力性を持たせることができるので、シャフト２１，２１Ｈの抜き差しがしやすい上に、筒状リブ１４，１４Ａ，１４Ｂ，１４Ｃ，１４Ｄ，１４Ｅ，１４Ｆ，１４Ｇ，１４Ｈの弾性復帰力によってシャフト２１，２１Ｈを強固に締め付け可能となっている。そして、前記補強リブ１６，１６Ａ，１６Ｂ，１６Ｃ，１６Ｄ，１６Ｅ，１６Ｆ，１６Ｇ，１６Ｈによって筒状リブ１４，１４Ａ，１４Ｂ，１４Ｃ，１４Ｄ，１４Ｅ，１４Ｆ，１４Ｇ，１４Ｈの強度を高めることができるので、筒状リブ１４，１４Ａ，１４Ｂ，１４Ｃ，１４Ｄ，１４Ｅ，１４Ｆ，１４Ｇ，１４Ｈの弾力性を維持することができる。さらに、前記外周リブ１７，１７Ａ，１７Ｂ，１７Ｃ，１７Ｄ，１７Ｅ，１７Ｆ，１７Ｇ，１７Ｈによって、前記筒状リブ１４，１４Ａ，１４Ｂ，１４Ｃ，１４Ｄ，１４Ｅ，１４Ｆ，１４Ｇ，１４Ｈの径方向に対向する補強リブ１６，１６Ａ，１６Ｂ，１６Ｃ，１６Ｄ，１６Ｅ，１６Ｆ，１６Ｇ，１６Ｈ同士を一体的に接続できるので、補強リブ１６，１６Ａ，１６Ｂ，１６Ｃ，１６Ｄ，１６Ｅ，１６Ｆ，１６Ｇ，１６Ｈの強度を高めるのと同時に、この補強リブ１６，１６Ａ，１６Ｂ，１６Ｃ，１６Ｄ，１６Ｅ，１６Ｆ，１６Ｇ，１６Ｈと一体の筒状リブ１４，１４Ａ，１４Ｂ，１４Ｃ，１４Ｄ，１４Ｅ，１４Ｆ，１４Ｇ，１４Ｈの強度をより高めることができる。
したがって、筒状リブ１４，１４Ａ，１４Ｂ，１４Ｃ，１４Ｄ，１４Ｅ，１４Ｆ，１４Ｇ，１４Ｈの弾力性を確保しながら、強度を得ることができるので、従来とは異なり、筒状リブ１４，１４Ａ，１４Ｂ，１４Ｃ，１４Ｄ，１４Ｅ，１４Ｆ，１４Ｇ，１４Ｈにシャフト２１，２１Ｈを嵌合させて何度か抜き差しを繰り返しても、筒状リブ１４，１４Ａ，１４Ｂ，１４Ｃ，１４Ｄ，１４Ｅ，１４Ｆ，１４Ｇ，１４Ｈとシャフト２１，２１Ｈとの嵌合が緩くなるのを防ぐことが可能となり、これら筒状リブ１４，１４Ａ，１４Ｂ，１４Ｃ，１４Ｄ，１４Ｅ，１４Ｆ，１４Ｇ，１４Ｈとシャフト２１，２１Ｈとの良好な嵌合状態を保持することができる。また、例えば筒状リブ１４，１４Ａ，１４Ｂ，１４Ｃ，１４Ｄ，１４Ｅ，１４Ｆ，１４Ｇ，１４Ｈにスプリングを巻設して補強する必要もないので、従来に比して回転つまみ１０，１０Ａ，１０Ｂ，１０Ｃ，１０Ｄ，１０Ｅ，１０Ｆ，１０Ｇ，１０Ｈの取付作業に係る手間やコストの低減を図ることが可能となる。
【００４０】
また、前記外周リブ１７Ｂ，１７Ｃ，１７Ｆ，１７Ｇに、この外周リブ１７Ｂ，１７Ｃ，１７Ｆ，１７Ｇから前記つまみ本体１３Ｂ，１３Ｃ，１３Ｆ，１３Ｇの周壁部１２Ｂ，１２Ｃ，１２Ｆ，１２Ｇまで延出する補助リブ１８Ｂ，１８Ｃ，１８Ｆ，１８Ｇが一体的に設けられているので、この補助リブ１８Ｂ，１８Ｃ，１８Ｆ，１８Ｇによって外周リブ１７Ｂ，１７Ｃ，１７Ｆ，１７Ｇの補強を行うことができる。これによって、例えば筒状リブ１４Ｂ，１４Ｃ，１４Ｆ，１４Ｇとシャフト２１とを嵌合させた際に、筒状リブ１４Ｂ，１４Ｃ，１４Ｆ，１４Ｇおよび補強リブ１６Ｂ，１６Ｃ，１６Ｆ，１６Ｇが外側へ開く動作に合わせ、前記外周リブ１７Ｂ，１７Ｃ，１７Ｆ，１７Ｇが外側に開こうとする動作を確実に抑制することができる。したがって、筒状リブ１４Ｂ，１４Ｃ，１４Ｆ，１４Ｇの弾力性を確保しながら、強度を得ることができるので、筒状リブ１４Ｂ，１４Ｃ，１４Ｆ，１４Ｇとシャフト２１との良好な嵌合状態をより確実に保持することができ、施工に係る手間やコストのより確実に低減させることが可能となる。
【図面の簡単な説明】
【００４１】
【図１】本発明に係る回転つまみの一実施形態と、回転つまみに対応するロータリーエンコーダーを示す斜視図である。
【図２】本発明に係る回転つまみの一実施形態を示す斜視図である。
【図３】本発明に係る回転つまみの一実施形態を示す斜視図である。
【図４】本発明に係る回転つまみの一実施形態を示す斜視図である。
【図５】本発明に係る回転つまみの一実施形態を示す斜視図である。
【図６】本発明に係る回転つまみの一実施形態を示す斜視図である。
【図７】本発明に係る回転つまみの一実施形態を示す斜視図である。
【図８】本発明に係る回転つまみの一実施形態を示す斜視図である。
【図９】本発明に係る回転つまみの一実施形態と、回転つまみに対応するロータリーエンコーダーを示す斜視図である。
【図１０】（ａ）〜（ｄ）は従来の回転つまみを示す斜視図である。
【符号の説明】
【００４２】
１０  回転つまみ
１１  底面部
１２  周壁部
１３  つまみ本体
１４  筒状リブ
１５  スリット
１６  補強リブ
１７  外周リブ
１８  補助リブ
２０  ロータリーエンコーダー
２１  シャフト
【図１】
2008235211.tif 000003
【図２】
2008235211.tif 000004
【図３】
2008235211.tif 000005
【図４】
2008235211.tif 000006
【図５】
2008235211.tif 000007
【図６】
2008235211.tif 000008
【図７】
2008235211.tif 000009
【図８】
2008235211.tif 000010
【図９】
2008235211.tif 000011
【図１０】
2008235211.tif 000012